(57)【特許請求の範囲】
【請求項１】
給水配管前端の第１雌ネジ(11)付き接続口(1A)と混合水栓(F)後端の第１雄ネジ(21)付き水導入口(2A)との間、および給湯配管前端の第１雌ネジ(11)付き接続口(1B)と混合水栓(F)後端の第１雄ネジ(21)付き湯導入口(1B)との間のうち少なくともいずれか一方に介在されるか、または、給水配管前端の第１雌ネジ付き接続口と単水栓後端の第１雄ネジ付き水導入口との間に介在される分水用管継手(3A)であって、
前後両端に第１雌ネジ(11)および第１雄ネジ(21)と比べて径の小さい径小雄ネジ(312)を有する突出口(311)が設けられ、かつ周壁に少なくとも１つの連通孔(313)が設けられている略筒状の管継手本体(31)と、
管継手本体(31)の外周に回動自在に設けられ、かつ周壁に前記連通孔(313)を介して管継手本体(31)内と連通する分岐口(321)が外方突出状に設けられている回動部材(32)と、
外周の前後いずれか一方の略半部に第１の種類よりなる第２雄ネジ(331)を有し、同他方の略半部に第２の種類よりなる第３雄ネジ(332)を有するとともに、内周に、前後両端のうち所要の一方の端から管継手本体(31)の後突出口(311)の径小雄ネジ(312)にねじ嵌められる径小雌ネジ(333)を有する略環状の第１端部材(33)と、
内周の前後いずれか一方の端部に第１の種類よりなる第２雌ネジ(341)を有し、同他方の端部に第２の種類よりなる第３雌ネジ(342)を有するとともに、内周の長さ中間部に、前後両端のうち所要の一方の端から管継手本体(31)の前突出口(311)の径小雄ネジ(312)にねじ嵌められる径小雌ネジ(343)を有する略環状の第２端部材(34)とを備えており、
第１端部材(33)は、第１雌ネジ(11)が第１の種類よりなる場合には、その第２雄ネジ(331)が管継手(3A)後端に位置するように管継手本体(31)に接続され、また、第１雌ネジ(11)が第２の種類よりなる場合には、その第３雄ネジ(332)が管継手(3A)後端に位置するように管継手本体(31)に接続され、
第２端部材(34)は、第１雄ネジ(21)が第１の種類よりなる場合には、その第２雌ネジ(341)が管継手(3A)前端に位置するように管継手本体(31)に接続され、また、第１雄ネジ(21)が第２の種類よりなる場合には、その第３雌ネジ(342)が管継手(3A)前端に位置するように管継手本体(31)に接続される、分水用管継手。
【請求項２】
管継手本体(31)の後端面に、第１端部材(33)の第２雄ネジ(331)および第３雄ネジ(332)のうち管継手本体(31)側に配される方を収容し得る環状凹陥部(314)が設けられている、請求項１記載の分水用管継手。
【請求項３】
管継手本体(31)の周壁の前部が、第２端部材(34)の第２雌ネジ(341)および第３雌ネジ(342)のうち管継手本体(31)側に配される方の内側に収まり得る径小部(315)となされているとともに、同周壁の後部が、第２端部材(34)の外径とほぼ等しい外径を有する径大部(316)となされており、回動部材(32)が、管継手本体(31)の径大部(316)と第２端部材(34)とにまたがって回動自在に嵌め被せられる、請求項１または２記載の分水用管継手。
【請求項４】
給水配管前端の第１雌ネジ(11)付き接続口(1A)と混合水栓(F)後端の第１雄ネジ(21)付き水導入口(2A)との間、および給湯配管前端の第１雌ネジ(11)付き接続口(1B)と混合水栓(F)後端の第１雄ネジ(21)付き湯導入口(2B)との間のうち少なくともいずれか一方に介在されるか、または、給水配管前端の第１雌ネジ付き接続口と単水栓後端の第１雄ネジ付き水導入口との間に介在される分水用管継手(30A)であって、
前後両端に第１雌ネジ(11)および第１雄ネジ(21)と比べて径の小さい径小雄ネジ(303)を有する突出口(302)が設けられ、かつ周壁に分岐口(304)が外方突出状設けられている略筒状の管継手本体(301)と、
外周の前後いずれか一方の略半部に第１の種類よりなる第２雄ネジ(331)を有し、同他方の略半部に第２の種類よりなる第３雄ネジ(332)を有するとともに、内周に、前後両端のうち所要の一方の端から管継手本体(301)の後突出口(302)の径小雄ネジ(303)にねじ嵌められる径小雌ネジ(333)を有する略環状の第１端部材(33)と、
内周の前後いずれか一方の端部に第１の種類よりなる第２雌ネジ(341)を有し、同他方の端部に第２の種類よりなる第３雌ネジ(342)を有するとともに、内周の長さ中間部に、前後両端のうち所要の一方の端から管継手本体(301)の前突出口(302)の径小雄ネジ(303)にねじ嵌められる径小雌ネジ(343)を有する略環状の第２端部材(34)とを備えており、
第１端部材(33)は、第１雌ネジ(11)が第１の種類よりなる場合には、その第２雄ネジ(331)が管継手(30A)後端に位置するように管継手本体(31)に接続され、また、第１雌ネジ(11)が第２の種類よりなる場合には、その第３雄ネジ(332)が管継手(30A)後端に位置するように管継手本体(31)に接続され、
第２端部材(34)は、第１雄ネジ(21)が第１の種類よりなる場合には、その第２雌ネジ(341)が管継手(30A)前端に位置するように管継手本体(301)に接続され、また、第１雄ネジ(21)が第２の種類よりなる場合には、その第３雌ネジ(342)が管継手(30A)前端に位置するように管継手本体(301)に接続される、分水用管継手。
【請求項５】
管継手本体(301)の後端面に、第１端部材(33)の第２雄ネジ(331)および第３雄ネジ(332)のうち管継手本体(301)側に配される方を収容し得る環状凹陥部(305)が設けられている、請求項４記載の分水用管継手。
【請求項６】
管継手本体(301)の周壁の前部が、第２端部材(34)の第２雌ネジ(341)および第３雌ネジ(342)のうち管継手本体(301)側に配される方の内側に収まり得る径小部(306)となされているとともに、同周壁の後部が、第２端部材(34)の外径とほぼ等しい外径を有する径大部(307)となされている、請求項４または５記載の分水用管継手。
【請求項７】
給水配管前端の第１雌ネジ(11)付き接続口(1A)と混合水栓(F)後端の第１雄ネジ(21)付き水導入口(2A)との間、および給湯配管前端の第１雌ネジ(11)付き接続口(1B)と混合水栓(F)後端の第１雄ネジ(21)付き湯導入口(2B)との間のうちいずれか一方に請求項１または４記載の分水用管継手が介在される場合に、同他方に介在される管継手(3B)であって、
前後両端に第１雌ネジ(11)および第１雄ネジ(21)と比べて径の小さい径小雄ネジ(312)を有する突出口(311)が設けられている略筒状の管継手本体(31B)と、
外周の前後いずれか一方の略半部に第１の種類よりなる第２雄ネジ(331)を有し、同他方の略半部に第２の種類よりなる第３雄ネジ(332)を有するとともに、内周に、前後両端のうち所要の一方の端から管継手本体(31B)の後突出口(311)の径小雄ネジ(312)にねじ嵌められる径小雌ネジ(333)を有する略環状の第１端部材(33)と、
内周の前後いずれか一方の端部に第１の種類よりなる第２雌ネジ(341)を有し、同他方の端部に第２の種類よりなる第３雌ネジ(342)を有するとともに、内周の長さ中間部に、前後両端のうち所要の一方の端から管継手本体(31B)の前突出口(311)の径小雄ネジ(312)にねじ嵌められる径小雌ネジ(343)を有する略環状の第２端部材(34)とを備えており、
第１端部材(33)は、第１雌ネジ(11)が第１の種類よりなる場合には、その第２雄ネジ(331)が管継手(3B)後端に位置するように管継手本体(31B)に接続され、また、第１雌ネジ(11)が第２の種類よりなる場合には、その第３雄ネジ(332)が管継手(3B)後端に位置するように管継手本体(31B)に接続され、
第２端部材(34)は、第１雄ネジ(21)が第１の種類よりなる場合には、その第２雌ネジ(341)が管継手(3B)前端に位置するように管継手本体(31B)に接続され、また、第１雄ネジ(21)が第２の種類よりなる場合には、その第３雌ネジ(342)が管継手(3B)前端に位置するように管継手本体(31B)に接続される、管継手。
【請求項８】
管継手本体(31B)の後端面に、第１端部材(33)の第２雄ネジ(331)および第３雄ネジ(332)のうち管継手本体(31B)側に配される方を収容し得る環状凹陥部(314)が設けられている、請求項７記載の管継手。
【請求項９】
管継手本体(31B)の周壁の前部が、第２端部材(34)の第２雌ネジ(341)および第３雌ネジ(342)のうち管継手本体(31B)側に配される方の内側に収まり得る径小部(315)となされているとともに、同周壁の後部が、第２端部材(34)の外径とほぼ等しい外径を有する径大部(316)となされている、請求項７または８記載の管継手。
【発明の詳細な説明】
【０００１】
【発明の属する技術分野】
本発明は、給水配管や給湯配管を混合水栓または単水栓の手前で分岐させるための分水用管継手、および、混合水栓への配管に際して、該分水用管継手とペアで用いられる管継手に関する。
【０００２】
【従来の技術】
例えば、流し台に卓上型食器洗い機を設置する場合、壁の裏側を通る給水管の先端に壁を貫通して取り付けられた通常クランクと呼ばれる管継手（以下、「クランク」という。）と、既設の混合水栓後端の水導入口との間に、分岐口を有する分水用管継手が介在され、ここから分岐管を通じて食器洗い機に水を供給できるように配管施工される。分水用管継手の後端部には、クランクの前端接続口に設けられた雌ネジと嵌まり合う雄ネジが設けられ、また、分水用管継手の前端部には、混合水栓の水導入口に設けられた雄ネジと嵌まり合う雌ネジが設けられている。また、給湯管側のクランクと混合水栓の湯導入口との間には、分岐口を除いて分水用管継手と同じ構造をもつ管継手が介在されるようになっている。
【０００３】
ところで、クランクと混合水栓との接続に用いられているネジには、メーカによって、以下の２種類のものが併存している。まず第１の種類のネジは、ＪＩＳＢ０２０２に規定された管用平行ねじの１つであって、「Ｇ３／４」と称されるものである。このＧ３／４ネジでは、外径が２６．４４１ｍｍ、ねじ山数が１４となっている。一方、第２の種類のネジは、古くから用いられてきたウイットねじの１つであって、外径が２８ｍｍ、ねじ山数が１８である、「Ｗ２８山１８」と称されるものである。
【０００４】
したがって、上記の分水用管継手およびこれとペアで用いられる管継手についても、混合水栓およびクランクのネジに対応できるように、Ｇ３／４ネジを有するものと、Ｗ２８山１８ネジを有するものの２種類を製造する必要があり、コスト面で無駄が多く、在庫管理も煩雑であった。また、配管施工業者も、通常、上記２種類の分水用管継手および管継手を施工現場に持参して、これらのうち既設混合水栓およびクランクのネジに対応した方を使用する必要があり、手間であった。
【０００５】
上記のような問題点を解決するものとして、特許第３０１５３５９号掲載公報に記載の分岐ソケットが知られている。この分岐ソケットは、図７に示すように、周壁に外方突出状の分岐栓継手(91a)（分岐口）が設けられたニップル体(91)と、第２のナット(92)とで構成されている。ニップル体(91)の後端部には、Ｗ２８山１８の雄ネジ(911)が設けられ、同前端部には、Ｇ３／４の雌ネジ(912)（ユニオンナット）が設けられている。また、第２のナット(92)の後端部には、Ｇ３／４の雄ネジ(921)が設けられ、同前端部には、Ｗ２８山１８の雄ネジ(922)が設けられている。
【０００６】
そして、給水管側クランク(C1)の雌ネジ(11)および混合水栓(F)の水導入口(2A)の雄ネジ(21)がＷ２８山１８である場合、分岐ソケット(9)は、図７（ａ）に示すように、ニップル体(91)の雌ネジ(912)に第２のナット(92)の雄ネジ(921)をねじ込んだ形態、即ち、分岐ソケット(9)後端にＷ２８山１８の雄ネジ(911)が配されると共に、同前端にＷ２８山１８の雌ネジ(922)が配された形態で、給水管側クランク(C1)と混合水栓(F)の水導入口(2A)との間に介在固定される。
【０００７】
一方、給水管側クランク(C1)および混合水栓(F)の水導入口(2A)のネジ(11)(21)がＧ３／４である場合、分岐ソケット(9)は、図７（ｂ）に示すように、ニップル体(91)の雄ネジ(911)に第２のナット(92)の雌ネジ(922)をねじ嵌めた形態、即ち、分岐ソケット(9)後端にＧ３／４の雄ネジ(921)が配されると共に、同前端にＧ３／４の雌ネジ(912)が配された形態で、給水管側クランク(C1)と混合水栓(F)の水導入口(2A)との間に介在固定される。
【０００８】
【発明が解決しようとする課題】
ところで、食器洗い機の設置に際して、既存の混合水栓を新しい混合水栓と取り替える場合がある。この場合、クランクについては給水管および給湯管から取り外して新たなものと交換する作業が極めて面倒であるため、そのまま利用されるのが通常である。したがって、既設のクランクと新しい混合水栓のネジが合わない場合、即ち、例えば、クランク側の雌ネジがＷ２８山１８で、混合水栓側の雄ネジがＧ３／４である場合が生じ得る。しかし、図７に示す分岐ソケット(9)にあっては、上記のように既設のクランクと新しい混合水栓のネジの種類が異なる場合、クランクを新しい混合水栓のネジに合致するネジを有するものと取り替えない限り、使用することができなかった。
【０００９】
また、上記の分岐ソケット(9)の場合、図７（ａ）に示すようにＷ２８山１８のネジに対応させる形態と、図７（ｂ）に示すようにＧ３／４のネジに対応させる形態とで、分岐口(91a)の位置に相当のズレが生じる。分岐口(91a)の位置はなるべく壁に近い方が分岐管の配管上好ましい。ところが、図７（ｂ）の形態では、分岐口(91a)が壁から相当離れた位置に来てしまうため、分岐口(91a)に接続される分岐管も壁から離れてしまい、分岐管を固定し難く、見栄えも良くない。
【００１０】
本発明は、上記の問題点に鑑みてなされたものであって、給水・給湯配管の前端と混合水栓や単水栓等の水栓との間に介在される分水用管継手およびこれとペアで用いられる管継手において、配管側および水栓側のネジが第１の種類よりなる場合、および同じく第２の種類よりなる場合はもとより、一方が第１の種類よりなり、他方が第２の種類よりなる場合でも、容易に対応できるようにし、また、分水用管継手の分岐口の位置が常に一定となるようにすることを目的としている。
【００１１】
【課題を解決するための手段および発明の効果】
本発明による第１の分水用管継手は、給水配管前端の第１雌ネジ付き接続口と混合水栓後端の第１雄ネジ付き水導入口との間、および給湯配管前端の第１雌ネジ付き接続口と混合水栓後端の第１雄ネジ付き湯導入口との間のうち少なくともいずれか一方に介在されるか、または、給水配管前端の第１雌ネジ付き接続口と単水栓後端の第１雄ネジ付き水導入口との間に介在される分水用管継手であって、
前後両端に第１雌ネジおよび第１雄ネジと比べて径の小さい径小雄ネジを有する突出口が設けられ、かつ周壁に少なくとも１つの連通孔が設けられている略筒状の管継手本体と、
管継手本体の外周に回動自在に設けられ、かつ周壁に前記連通孔を介して管継手本体内と連通する分岐口が外方突出状に設けられている回動部材と、
外周の前後いずれか一方の略半部に第１の種類よりなる第２雄ネジを有し、同他方の略半部に第２の種類よりなる第３雄ネジを有するとともに、内周に、前後両端のうち所要の一方の端から管継手本体の後突出口の径小雄ネジにねじ嵌められる径小雌ネジを有する略環状の第１端部材と、
内周の前後いずれか一方の端部に第１の種類よりなる第２雌ネジを有し、同他方の端部に第２の種類よりなる第３雌ネジを有するとともに、内周の長さ中間部に、前後両端のうち所要の一方の端から管継手本体の前突出口の径小雄ネジにねじ嵌められる径小雌ネジを有する略環状の第２端部材とを備えており、
第１端部材は、第１雌ネジが第１の種類よりなる場合には、その第２雄ネジが管継手後端に位置するように管継手本体に接続され、また、第１雌ネジが第２の種類よりなる場合には、その第３雄ネジが管継手後端に位置するように管継手本体に接続され、
第２端部材は、第１雄ネジが第１の種類よりなる場合には、その第２雌ネジが管継手前端に位置するように管継手本体に接続され、また、第１雄ネジが第２の種類よりなる場合には、その第３雌ネジが管継手前端に位置するように管継手本体に接続される、分水用管継手である。
【００１２】
なお、上記において、例えば、「第１の種類」が管用平行ねじのＧ３／４を指し、また、「第２の種類」がウイットねじのＷ２８山１８を指している。
【００１３】
上記の分水用管継手にあっては、給水配管・給湯配管側の第１雌ネジおよび混合水栓・単水栓側の第１雄ネジが共に第１の種類よりなる場合には、第１端部材を、第１の種類よりなる第２雄ネジが管継手後端に位置するように、管継手本体に接続するとともに、第２端部材を、第１の種類よりなる第２雌ネジが管継手前端に位置するように、管継手本体に接続すればよい。
また、給水配管・給湯配管側の第１雌ネジおよび混合水栓・単水栓側の第１雄ネジが共に第２の種類よりなる場合には、第１端部材を、第２の種類よりなる第３雄ネジが管継手後端に位置するように、管継手本体に接続するとともに、第２端部材を、第２の種類よりなる第３雌ネジが管継手前端に位置するように、管継手本体に接続すればよい。
さらに、例えば、給水配管・給湯配管側の第１雌ネジが第１の種類よりなり、混合水栓・単水栓側の第１雄ネジが第２の種類よりなる場合には、第１端部材を、第１の種類よりなる第２雄ネジが管継手後端に位置するように、管継手本体に接続するとともに、第２端部材を、第２の種類よりなる第３雌ネジが管継手前端に位置するように、管継手本体に接続すればよい。
以上の通り、本発明の第１の分水用管継手によれば、給水配管・給湯配管側の第１雌ネジと混合水栓・単水栓側の第１雄ネジとが第１の種類よりなる場合、両者が第２の種類よりなる場合、および両者のうち一方が第１の種類よりなり、他方が第２の種類よりなる場合のいずれにも、第１および第２端部材の管継手本体への接続の向きを変えるだけで、容易に対応させることができる。
【００１４】
また、本発明による第１の分水用管継手は、上記いずれの場合であっても、第１端部材と第２端部材との間に位置する管継手本体およびこれの外周に設けられた回動部材の位置が一定となり、ひいては回動部材に設けられた分岐口の位置が一定となる。したがって、本発明による第１の分水用管継手によれば、これの分岐口に接続される分岐管を、常に壁に沿って配管することが可能となる。
【００１５】
さらに、本発明による第１の分水用管継手にあっては、管継手本体の外周に回動自在に設けられた回動部材に分岐口が設けられているので、該管継手の施工後に、分岐口の向きを自在に変えることができ、施工時に面倒な位置合わせをする必要がない。
【００１６】
本発明による第１の分水用管継手において、管継手本体の後端面に、第１端部材の第２雄ネジおよび第３雄ネジのうち管継手本体側に配される方を収容し得る環状凹陥部が設けられているのが好ましい。
【００１７】
上記のような環状凹陥部を管継手本体の後端面に設けておけば、施工後の分水用管継手の全長、ひいては混合水栓または単水栓の壁からの突出長さを抑えることができ、混合水栓等が邪魔にならない。
【００１８】
また、本発明による第１の分水用管継手において、管継手本体の周壁の前部が、第２端部材の第２雌ネジおよび第３雌ネジのうち管継手本体側に配される方の内側に収まり得る径小部となされているとともに、同周壁の後部が、第２端部材の外径とほぼ等しい外径を有する径大部となされており、回動部材が、管継手本体の径大部と第２端部材とにまたがって回動自在に嵌め被せられるのが好ましい。
【００１９】
上記の構成によっても、施工後の分水用管継手の全長、ひいては混合水栓または単水栓の壁からの突出長さを抑えることができ、混合水栓等が邪魔にならない。
【００２０】
本発明による第２の分水用管継手は、給水配管前端の第１雌ネジ付き接続口と混合水栓後端の第１雄ネジ付き水導入口との間、および給湯配管前端の第１雌ネジ付き接続口と混合水栓後端の第１雄ネジ付き湯導入口との間のうち少なくともいずれか一方に介在されるか、または、給水配管前端の第１雌ネジ付き接続口と単水栓後端の第１雄ネジ付き水導入口との間に介在される分水用管継手であって、
前後両端に第１雌ネジおよび第１雄ネジと比べて径の小さい径小雄ネジを有する突出口が設けられ、かつ周壁に分岐口が外方突出状に設けられている略筒状の管継手本体と、
外周の前後いずれか一方の略半部に第１の種類よりなる第２雄ネジを有し、同他方の略半部に第２の種類よりなる第３雄ネジを有するとともに、内周に、前後両端のうち所要の一方の端から管継手本体の後突出口の径小雄ネジにねじ嵌められる径小雌ネジを有する略環状の第１端部材と、
内周の前後いずれか一方の端部に第１の種類よりなる第２雌ネジを有し、同他方の端部に第２の種類よりなる第３雌ネジを有するとともに、内周の長さ中間部に、前後両端のうち所要の一方の端から管継手本体の前突出口の径小雄ネジにねじ嵌められる径小雌ネジを有する略環状の第２端部材とを備えており、
第１端部材は、第１雌ネジが第１の種類よりなる場合には、その第２雄ネジが管継手後端に位置するように管継手本体に接続され、また、第１雌ネジが第２の種類よりなる場合には、その第３雄ネジが管継手後端に位置するように管継手本体に接続され、
第２端部材は、第１雄ネジが第１の種類よりなる場合には、その第２雌ネジが管継手前端に位置するように管継手本体に接続され、また、第１雄ネジが第２の種類よりなる場合には、その第３雌ネジが管継手前端に位置するように管継手本体に接続される、分水用管継手である。
【００２１】
本発明による第２の分水用管継手によれば、上記第１の分水用管継手と同様に、第１および第２端部材の管継手本体への接続の向きを変えるだけで、給水配管・給湯配管側の第１雌ネジと混合水栓・単水栓側の第１雄ネジとが第１の種類よりなる場合、両者が第２の種類よりなる場合、および両者のうち一方が第１の種類よりなり、他方が第２の種類よりなる場合のいずれにも容易に対応させることができる。
【００２２】
また、本発明による第２の分水用管継手にあっては、上記いずれの場合であっても、第１端部材と第２端部材との間に位置する管継手本体の位置が一定となり、ひいては管継手本体に設けられた分岐口の位置が一定となる。したがって、上記の分水用管継手によれば、これの分岐口に接続される分岐管を、常に壁に沿って配管することが可能となる。
【００２３】
本発明による第２の分水用管継手において、管継手本体の後端面に、第１端部材の第２雄ネジおよび第３雄ネジのうち管継手本体側に配される方を収容し得る環状凹陥部が設けられているのが好ましい。
【００２４】
上記のような環状凹陥部を管継手本体の後端面に設けておけば、施工後の分水用管継手の全長、ひいては混合水栓または単水栓の壁からの突出長さを抑えることができ、混合水栓等が邪魔にならない。
【００２５】
また、本発明による第２の分水用管継手において、管継手本体の周壁の前部が、第２端部材の第２雌ネジおよび第３雌ネジのうち管継手本体側に配される方の内側に収まり得る径小部となされているとともに、同周壁の後部が、第２端部材の外径とほぼ等しい外径を有する径大部となされているのが好ましい。
【００２６】
上記の構成によっても、施工後の分水用管継手の全長、ひいては混合水栓または単水栓の壁からの突出長さを抑えることができ、混合水栓等が邪魔にならない。
【００２７】
本発明による管継手は、給水配管前端の第１雌ネジ付き接続口と混合水栓後端の第１雄ネジ付き水導入口との間、および給湯配管前端の第１雌ネジ付き接続口と混合水栓後端の第１雄ネジ付き湯導入口との間のうちいずれか一方に本発明による上記第１または第２の分水用管継手が介在される場合に、同他方に介在される管継手であって、
前後両端に第１雌ネジおよび第１雄ネジと比べて径の小さい径小雄ネジを有する突出口が設けられている略筒状管の継手本体と、
外周の前後いずれか一方の略半部に第１の種類よりなる第２雄ネジを有し、同他方の略半部に第２の種類よりなる第３雄ネジを有するとともに、内周に、前後両端のうち所要の一方の端から管継手本体の後突出口の径小雄ネジにねじ嵌められる径小雌ネジを有する略環状の第１端部材と、
内周の前後いずれか一方の端部に第１の種類よりなる第２雌ネジを有し、同他方の端部に第２の種類よりなる第３雌ネジを有するとともに、内周の長さ中間部に、前後両端のうち所要の一方の端から管継手本体の前突出口の径小雄ネジにねじ嵌められる径小雌ネジを有する略環状の第２端部材とを備えており、
第１端部材は、第１雌ネジが第１の種類よりなる場合には、その第２雄ネジが管継手後端に位置するように管継手本体に接続され、また、第１雌ネジが第２の種類よりなる場合には、その第３雄ネジが管継手後端に位置するように管継手本体に接続され、
第２端部材は、第１雄ネジが第１の種類よりなる場合には、その第２雌ネジが管継手前端に位置するように管継手本体に接続され、また、第１雄ネジが第２の種類よりなる場合には、その第３雌ネジが管継手前端に位置するように管継手本体に接続される、管継手である。
【００２８】
本発明による管継手によれば、本発明による第１および第２の分水用管継手と同様に、第１および第２端部材の管継手本体への接続の向きを変えるだけで、給水配管・給湯配管側の第１雌ネジと混合水栓・単水栓側の第１雄ネジとが第１の種類よりなる場合、両者が第２の種類よりなる場合、および両者のうち一方が第１の種類よりなり、他方が第２の種類よりなる場合のいずれにも容易に対応させることができる。
【００２９】
本発明による管継手にあっては、本発明による第１および第２の分水用管継手と同様に、管継手本体の後端面に、第１端部材の第２雄ネジおよび第３雄ネジのうち管継手本体側に配される方を収容し得る環状凹陥部が設けられているのが好ましい。
【００３０】
また、本発明による管継手にあっては、本発明による第１および第２の分水用管継手と略同様に、管継手本体の周壁の前部が、第２端部材の第２雌ネジおよび第３雌ネジのうち管継手本体側に配される方の内側に収まり得る径小部となされているとともに、同周壁の後部が、第２端部材の外径とほぼ等しい外径を有する径大部となされているのが好ましい。
【００３１】
【発明の実施の形態】
次に、図１〜６を参照して、本発明の好ましい実施の形態を説明する。なお、以下の説明において、「後」とは図１、２、４および６の上をいい、また、「前」とは図１、２、４および６の下をいうものとする。
【００３２】
図１〜５は、本発明の第１の実施形態を示すものである。図１において、壁(W)に埋設された給水管(P1)および給湯管(P2)の上端に、壁(W)にあけられた貫通孔を介して、クランク(C1)(C2)の後端が接続されるようになっている。両側のクランク(C1)(C2)の前端、即ち、給水配管前端および給湯配管前端には、第１雌ネジ(11)付き接続口(1A)(1B)が設けられている。該接続口(1A)(1B)は、回動自在なナットにより構成されている。
【００３３】
図１に示された混合水栓(F)は、２バルブ式のものである。混合水栓(F)における水栓本体(F1)後面の右側に、第１雄ネジ(21)付き水導入口(2A)が後方突出状に設けられ、同左側に、第１雄ネジ(21)付き湯導入口(2B)が後方突出状に設けられている。なお、混合水栓(F)は、シングルレバー式のものや、サーモスタット式のものであっても勿論構わない。
【００３４】
そして、給水配管側のクランク(C1)と、混合水栓(F)の水導入口(2A)との間に、本発明による第１の分水用管継手(3A)が介在される。この分水用管継手(3A)に接続される分岐管(P3)を通じて、例えば、流し台に設置される食器洗い機(図示略）に水が供給される。また、給湯配管側のクランク(C2)と、混合水栓(F)の湯導入口(2B)との間には、本発明による管継手(3B)が介在される。
【００３５】
図２および３は、分水用管継手(3A)を詳しく示したものである。この分水用管継手(3A)は、管継手本体(31)と、回動部材(32)と、第１端部材(33)と、第２端部材(34)とを備えている。
【００３６】
管継手本体(31)は、略筒状のものである。管継手本体(31)の前後両端には、第１雌ネジ(11)および第１雄ネジ(21)と比べて径の小さい径小雄ネジ(312)を有する突出口(311)が設けられている。管継手本体(31)の周壁には、複数の連通孔(313)が設けられている。なお、前後突出口(311)の径小雄ネジ(312)は、同一種類のものでも、異なる種類のものでもよい。この実施形態では、後突出口(311)の径小雄ネジ(312)が、ＪＩＳＢ０２０７（メートル細目ねじ）のＭ１２×１ネジよりなり、前突出口(311)の径小雄ネジ(312)が、ＪＩＳＢ０２０７（メートル細目ねじ）のＭ１５×１ネジよりなる。
【００３７】
回動部材(32)は、略筒状のものであって、管継手本体(31)の外周に回動自在に設けられている。回動部材(32)の周壁には、前記連通孔(313)を介して管継手本体(31)内と連通する分岐口(321)が外方突出状に設けられている。
【００３８】
第１端部材(33)は、環状のものである。第１端部材(33)は、その外周の前後いずれか一方の略半部に、第１の種類、即ち、Ｇ３／４ネジよりなる第２雄ネジ(331)を有し、同他方の略半部に、第２の種類、即ち、Ｗ２８山１８ネジよりなる第３雄ネジ(332)を有している。また、第１端部材(33)は、その内周に、前後両端のうち所要の一方の端から管継手本体(31)の後突出口(311)の径小雄ネジ(312)にねじ嵌められる径小雌ネジ(333)（Ｍ１２×１ネジ）を有している。
【００３９】
第２端部材(34)も環状のものである。第２端部材(34)は、その内周の前後いずれか一方の端部に、第１の種類（Ｇ３／４ネジ）よりなる第２雌ネジ(341)を有し、同他方の端部に、第２の種類（Ｗ２８山１８ネジ）よりなる第３雌ネジ(342)を有するとともに、同長さ中間部に、前後両端のうち所要の一方の端から管継手本体(31)の前突出口(311)の径小雄ネジ(312)にねじ嵌められる径小雌ネジ(343)（Ｍ１５×１ネジ）を有している。
【００４０】
管継手本体(31)の後端面には、第１端部材(33)の第２雄ネジ(331)および第３雄ネジ(332)のうち管継手本体(31)側に配される方を収容し得る環状凹陥部(314)が設けられている。後突出口(311)は、この環状凹陥部(314)の中心部に設けられている。後突出口(311)の長さ中間部には、環状段差(311a)が設けられている。後突出口(311)における環状段差(311a)よりも後側の部分に、前記径小雄ネジ(312)が形成されている。
【００４１】
管継手本体(31)の周壁の前部は、第２端部材(34)の第２雌ネジ(341)および第３雌ネジ(342)のうち管継手本体(31)側に配される方の内側に収まり得る径小部(315)となされているとともに、同周壁の後部は、第２端部材(34)の外径とほぼ等しい外径を有する径大部(316)となされている。そして、回動部材(32)が、管継手本体(31)の径大部(316)と第２端部材(34)とにまたがって、回動自在に嵌め被せられている。径大部(316)の外周面の後端には、環状フランジ(317)が一体に設けられている。また、第２端部材(34)の外周面の長さ中央部にも、環状フランジ(344)が一体に設けられている。これらのフランジ(317)(344)により、回動部材(32)の前後方向の移動が規制されるようになっている。これらのフランジ(317)(344)には、レンチ等の回動工具による管継手本体(31)および第２端部材(34)の締め付けが可能となるように、直径方向の対称位置に２つの垂直な面取り部(317a)(344a)が形成されている（図３参照）。回動部材(32)と、管継手本体(31)の径大部(316)および第２端部材(34)との間には、それぞれＯリング(4)が介在されている。これらのＯリング(4)により、回動部材(32)が、その自重のみによっては回動しないようになされている。管継手本体(31)の外周において、径大部(316)と第２端部材(34)との間には、環状空隙部(S)が設けられており、この空隙部(S)に前記連通孔(313)が開口させられている。したがって、管継手本体(31)内と回動部材(32)の分岐口(321)内とは、連通孔(313)および環状空隙部(S)を介して、互いに連通させられている。
【００４２】
回動部材(32)の分岐口(321)は、同部材(32)の他の部分と一体に形成されている。もっとも、回動部材(32)の分岐口(321)とその他の部分とを別体に形成して、こられを溶接等によって接合一体化するようにしても勿論よい。分岐口(321)の先端部内には、逆止弁(5)が収容されるようになっている（図３参照）。分岐口(321)の先端部に雄ネジ(321a)が設けられ、この雄ネジ(321a)に、分水コック(6)の基端に設けられたナット(61)がねじ嵌められるようになっている。分岐管(P3)は、その基端に取り付けられたプラグ(P31)を、分水コック(6)の先端に設けられたソケット(62)に差し込むことによって、着脱自在に接続されるようになっている。
【００４３】
第１端部材(33)の内周面には、その両端寄りの２箇所に、環状段差(334)が設けられている。径小雌ネジ(333)は、これらの環状段差(334)の間の部分に形成されている。管継手本体(31)の後突出口(311)の環状段差(311a)と、これに向かい合う第１端部材(33)の一方の環状段差(334)との間には、パッキン(7)が介在されている。第１端部材(33)の第２雄ネジ(331)および第３雄ネジ(332)には、レンチ等の回動工具による第１端部材(33)の締め付けが可能となるように、直径方向の対称位置に２つの垂直な面取り部(331a)(332a)が形成されている（図３参照）。
【００４４】
第２端部材(34)の内周面には、その両端から同部材(34)の長さの３分の１の箇所に、それぞれ環状段差(345)が設けられている。これらの環状段差(345)の間に位置する部分に径小雌ネジ(343)が形成され、その両側部分に、第２雌ネジ(341)および第３雌ネジ(342)が形成されている。管継手本体(31)の前端面における前突出部(311)の周辺部分と、これに向かい合う第２端部材(34)の一方の環状段差(345)との間には、パッキン(8)が介在されている。
【００４５】
上記の分水用管継手(3A)は、第１雌ネジ(11)および第１雄ネジ(21)の種類に応じて以下のような形態で使用される。
【００４６】
まず、給水配管側クランク(C1)の接続口(1A)に設けられた第１雌ネジ(11)と、混合水栓(F)の水導入口(2A)に設けられた第１雄ネジ(21)が、いずれも第１の種類、即ち、Ｇ３／４ネジよりなる場合、分水用管継手(3A)は、図２（ａ）のような形態となされる。即ち、第１端部材(33)の第２雄ネジ（Ｇ３／４）(331)が管継手(3A)後端に位置するように、管継手本体(31)の後突出口(311)の径小雄ネジ(312)に、第１端部材(33)の径小雌ネジ(333)が、所要の一端側からねじ嵌められている。また、第２端部材(34)の第２雌ネジ（Ｇ３／４）(341)が管継手(3A)前端に位置するように、管継手本体(31)の前突出口(311)の径小雄ネジ(312)に、第２端部材(34)の径小雌ネジ(343)が、所要の一端側からねじ嵌められている。そして、第２雄ネジ(331)が第１雌ネジ(11)にねじ込まれ、第２雌ネジ(341)が第１雄ネジ(21)にねじ嵌められることにより、分水用管継手(3A)が、給水配管前端の接続口(1A)と混合水栓(F)の水導入口(2A)との間に介在固定される。その後は、分水用管継手(3A)の回動部材(32)を所要方向に所要角度回動させて、分岐口(321)の向きを調整し、該分岐口(321)に分水コック(6)を介して分岐管(P3)を接続すればよい。
【００４７】
次に、第１雌ネジ(11)と第１雄ネジ(21)が、いずれも第２の種類、即ち、Ｗ２８山１８ネジよりなる場合、分水用管継手(3A)は、図２（ｂ）のような形態となされる。即ち、第１端部材(33)の第３雄ネジ(332)（Ｗ２８山１８）が管継手(3A)後端に位置するように、管継手本体(31)の後突出口(311)の径小雄ネジ(312)に、第１端部材(33)の径小雌ネジ(333)が、所要の他端側からねじ嵌められている。また、第２端部材(34)の第３雌ネジ(342)（Ｗ２８山１８）が管継手(3A)前端に位置するように、管継手本体(31)の前突出口(311)の径小雄ネジ(312)に、第２端部材(34)の径小雌ネジ(333)が、所要の他端側からねじ嵌められている。そして、第３雄ネジ(332)が第１雌ネジ(11)にねじ込まれ、第３雌ネジ(342)が第１雄ネジ(21)にねじ嵌められることにより、分水用管継手(3A)が、給水配管前端の接続口(1A)と混合水栓(F)の水導入口(2A)との間に介在固定される。
【００４８】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合、分水用管継手(3A)は、以下のような形態となされる。即ち、第１端部材(33)の第２雄ネジ(331)（Ｇ３／４）が管継手(3A)後端に位置するように、管継手本体(31)の後突出口(311)の径小雄ネジ(312)に、第１端部材(33)の径小雌ネジ(333)が、所要の一端側からねじ嵌められている。また、第２端部材(34)の第３雌ネジ(342)（Ｗ２８山１８）が管継手(3A)前端に位置するように、管継手本体(31)の前突出口(311)の径小雄ネジ(312)に、第２端部材(34)の径小雌ネジ(343)が、所要の他端側からねじ嵌められている。そして、第２雄ネジ(331)が第１雌ネジ(11)にねじ込まれ、第３雌ネジ(342)が第１雄ネジ(21)にねじ嵌められることにより、分水用管継手(3A)が、給水配管前端の接続口(1A)と混合水栓(F)の水導入口(2A)との間に介在固定される。
【００４９】
図４および５は、分水用管継手(3A)とペアで使用される管継手(3B)を詳しく示したものである。この管継手(3B)は、管継手本体(31B)と、第１端部材(33)と、第２端部材(34)とを備えている。
【００５０】
管継手本体(31B)は、その周壁に連通孔が設けられておらず、また、径大部(316)の後端に環状フランジが形成されていない。径大部(316)には、レンチ等の回動工具による管継手本体(31B)の締め付けが可能となるように、直径方向の対称位置に２つの垂直な面取り部(316a)が形成されている（図５参照）。管継手本体(31B)の上記以外の構造は、図２および３に示す分水用管継手(3A)の管継手本体(31)と同一である。
【００５１】
また、第１端部材(33)および第２端部材(34)も、図２および３に示す分水用管継手(3A)の第１端部材(33)および第２端部材(34)と同一の構造を有している。
【００５２】
上記管継手(3B)は、第１雌ネジ(11)および第１雄ネジ(21)の種類に応じて以下のような形態で使用される。
【００５３】
まず、給湯配管前端の接続口(1B)に設けられた第１雌ネジ(11)と、混合水栓(F)の湯導入口(2B)に設けられた第１雄ネジ(21)が、いずれも第１の種類（Ｇ３／４ネジ）よりなる場合、管継手(3B)は、図４（ａ）のような形態となされる。即ち、第１端部材(33)が、その第２雄ネジ(331)（Ｇ３／４）が管継手(3B)後端に位置するように、管継手本体(31B)に接続され、また、第２端部材(34)が、その第２雌ネジ(341)（Ｇ３／４）が管継手(3B)前端に位置するように、管継手本体(31B)に接続されている。そして、第２雄ネジ(331)が第１雌ネジ(11)にねじ込まれ、第２雌ネジ(341)が第１雄ネジ(21)にねじ嵌められることにより、管継手(3B)が、給湯配管前端の接続口(1B)と混合水栓(F)の湯導入口(2B)との間に介在固定される。
【００５４】
次に、第１雌ネジ(11)と第１雄ネジ(21)が、いずれも第２の種類（Ｗ２８山１８ネジ）よりなる場合、管継手(3B)は、図４（ｂ）のような形態となされる。即ち、第１端部材(33)が、その第３雄ネジ(332)（Ｗ２８山１８）が管継手(3B)後端に位置するように、管継手本体(31B)に接続され、また、第２端部材(34)が、その第３雌ネジ(342)（Ｗ２８山１８）が管継手(3B)前端に位置するように、管継手本体(31B)に接続されている。そして、第３雄ネジ(332)が第１雌ネジ(11)にねじ込まれ、第３雌ネジ(342)が第１雄ネジ(21)にねじ嵌められることにより、管継手(3B)が、給湯配管前端の接続口(1B)と混合水栓(F)の湯導入口(2B)との間に介在固定される。
【００５５】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合には、管継手(3B)は、以下のような形態となされる。即ち、第１端部材(33)が、その第２雄ネジ(331)（Ｇ３／４）が管継手(3B)後端に位置するように、管継手本体(31B)に接続され、また、第２端部材(34)が、その第３雌ネジ(342)（Ｗ２８山１８）が管継手(3B)前端に位置するように、管継手本体(31B)に接続されている。そして、第２雄ネジ(331)が第１雌ネジ(11)にねじ込まれ、第３雌ネジ(432)が第１雄ネジ(21)にねじ嵌められることにより、管継手(3B)が、給湯配管前端の接続口(1B)と混合水栓(F)の湯導入口(2B)との間に介在固定される。
【００５６】
図６は、本発明の第２の実施形態を示すものである。図６には、本発明による第２の分水用管継手(30A)が示されている。この分水用管継手(30A)は、管継手本体(301)と、第１端部材(33)と、第２端部材(34)とを備えている。
【００５７】
管継手本体(301)は、略筒状のものである。管継手本体(301)の前後両端には、第１雌ネジ(11)および第１雄ネジ(21)と比べて径の小さい径小雄ネジ(303)を有する突出口(302)が設けられている。前後突出口(302)の径小雄ネジ(303)は、同じ種類のものでも、異なる種類のものでもよい。管継手本体(301)の周壁には、管継手本体(301)内と連通する分岐口(304)が外方突出状に設けられている。管継手本体(301)の分岐口(304)とそれ以外の部分とは、別体に形成されていて、これらは溶接により接合一体化されている。
【００５８】
第１端部材(33)および第２端部材(34)は、図１〜３に示す第１の実施形態における分水用管継手(3A)の第１端部材(33)および第２端部材(34)と同一の構造を有している。
【００５９】
管継手本体(301)の後端面には、第１端部材(33)の第２雄ネジ(331)および第３雄ネジ(332)のうち管継手本体(301)側に配される方を収容し得る環状凹陥部(305)が設けられている。この環状凹陥部(305)の中心部に前記後突出口(302)が設けられている。後突出口(302)長さ中間には、環状段差(302a)が形成されている。径小雄ネジ(303)は、後突出口(302)における環状段差(302a)よりも後側の部分に形成されている。
【００６０】
管継手本体(301)の周壁の前部は、第２端部材(34)の第２雌ネジ(341)および第３雌ネジ(342)のうち管継手本体(301)側に配される方の内側に収まり得る径小部(306)となされ、同周壁の後部は、第２端部材(34)の外径とほぼ等しい外径を有する径大部(307)となされている。分岐口(304)は、径大部(307)の前側部分に設けられている。分岐口(304)の先端部内には、逆止弁（図示略）が収容されるようになっている。分岐口(304)の先端部に雄ネジ(304a)が設けられ、この雄ネジ(304a)に、分水コックの基端に設けられたナットがねじ嵌められるようになっている（図１および３参照）。
【００６１】
管継手本体(301)の後突出口(302)の環状段差(302a)と、これに向かい合う第１端部材(33)の一方の環状段差(334)との間には、パッキン(7)が介在されている。管継手本体(301)の前端面における前突出部(302)の周辺部分と、これに向かい合う第２端部材(34)の一方の環状段差(345)との間にも、パッキン(8)が介在されている。
【００６２】
上記の分水用管継手(30A)は、第１雌ネジ(11)および第１雄ネジ(21)の種類に応じて以下のような形態で使用される。
【００６３】
まず、給水配管前端の接続口(1A)に設けられた第１雌ネジ(11)と、混合水栓(F)の水導入口(2A)に設けられた第１雄ネジ(21)が、いずれも第１の種類、即ち、Ｇ３／４ネジよりなる場合、分水用管継手(30A)は、図６（ａ）のような形態となされる。即ち、第１端部材(33)が、その第２雄ネジ(331)（Ｇ３／４）が分水用管継手(30A)後端に位置するように、管継手本体(301)に接続され、また、第２端部材(34)が、その第２雌ネジ(341)（Ｇ３／４）が分水用管継手(30A)前端に位置するように、管継手本体(301)に接続されている。そして、第２雄ネジ(331)が第１雌ネジ(11)にねじ込まれ、第２雌ネジ(341)が第１雄ネジ(21)にねじ嵌められることにより、分水用管継手(30A)が、給水配管前端の接続口(1A)と混合水栓(F)の水導入口(2A)との間に介在固定される。この際、分岐口(304)が所要の方向を向くように管継手本体(301)の向きを調整しておく。その後、分岐口(304)に分岐管が接続される。
【００６４】
次に、第１雌ネジ(11)と第１雄ネジ(21)が、いずれも第２の種類（Ｗ２８山１８ネジ）よりなる場合、分水用管継手(30A)は、図６（ｂ）のような形態となされる。即ち、第１端部材(33)が、その第３雄ネジ(332)（Ｗ２８山１８）が分水用管継手(30A)後端に位置するように、管継手本体(301)に接続され、また、第２端部材(34)が、その第３雌ネジ(342)（Ｗ２８山１８）が分水用管継手(30A)前端に位置するように、管継手本体(301)に接続されている。そして、第３雄ネジ(332)が第１雌ネジ(11)にねじ込まれ、第３雌ネジ(342)が第１雄ネジ(21)にねじ嵌められることにより、分水用管継手(30A)が、給水配管前端の接続口(1A)と混合水栓(F)の水導入口(2A)との間に介在固定される。
【００６５】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合、分水用管継手(30A)は、以下のような形態となされる。即ち、第１端部材(33)は、その第２雄ネジ(331)（Ｇ３／４）が分水用管継手(30A)後端に位置するように、管継手本体(301)に接続され、また、第２端部材(34)は、その第３雌ネジ(342)（Ｗ２８山１８）が分水用管継手(30A)前端に位置するように、管継手本体(301)に接続されている。そして、第２雄ネジ(331)が第１雌ネジ(11)にねじ込まれ、第３雌ネジ(342)が第１雄ネジ(21)にねじ嵌められることにより、分水用管継手(30A)が、給水配管前端の接続口(1A)と混合水栓(F)の水導入口(2A)との間に介在固定される。
【００６６】
なお、上記実施形態では、給水・給湯配管側に第１雌ネジ(11)が設けられ、混合水栓側に第１雄ネジ(21)が設けられているが、これとは逆に、給水・給湯配管側に第１雄ネジが設けられ、混合水栓側に第１雌ネジが設けられている場合にも、本発明を適用することができる。この場合、分水用管継手および管継手を、図１〜６に示す形態と前後逆の形態で使用すればよい。
【図面の簡単な説明】
【図１】本発明の第１の実施形態を示すものであって、給水管側・給湯管側クランク、混合水栓、およびこれらの間に介在される分水用管継手および管継手を分離して示す平面図である。
【図２】第１の実施形態の分水用管継手を示すものであって、（ａ）はクランクおよび混合水栓のネジが第１の種類（Ｇ３／４ネジ）よりなる場合の形態を示す水平断面図、（ｂ）はクランクおよび混合水栓のネジが第２の種類（Ｗ２８山１８ネジ）よりなる場合の形態を示す水平断面図である。
【図３】第１の実施形態の分水用管継手の分解斜視図である。
【図４】第１の実施形態の管継手を示すものであって、（ａ）はクランクおよび混合水栓のネジが第１の種類よりなる場合の形態を示す水平断面図、（ｂ）はクランクおよび混合水栓のネジが第２の種類よりなる場合の形態を示す水平断面図である。
【図５】第１の実施形態の管継手の分解斜視図である。
【図６】本発明による第２の実施形態の分水用管継手を示すものであって、（ａ）はクランクおよび混合水栓のネジが第１の種類よりなる場合の形態を示す水平断面図、（ｂ）はクランクおよび混合水栓のネジが第２の種類よりなる場合の形態を示す水平断面図である。
【図７】従来の分水用管継手を示すものであって、（ａ）はクランクおよび混合水栓のネジがＷ２８山１８ネジ（第２の種類）である場合の形態を示す水平断面図、（ｂ）はクランクおよび混合水栓のネジがＧ３／４ネジ（第１の種類）である場合の形態を示す水平断面図である。
【符号の説明】
(P1)…給水管
(P2)…給湯管
(1A)(1B)…接続口
(11)…第１雌ネジ
(F)…混合水栓
(2A)…水導入口
(2B)…湯導入口
(21)…第１雄ネジ
(3A)…分水用管継手
(31)…管継手本体
(311)…突出口
(312)…径小雄ネジ
(313)…連通孔
(314)…環状凹陥部
(315)…径小部
(316)…径大部
(32)…回動部材
(321)…分岐口
(33)…第１端部材
(331)…第２雄ネジ
(332)…第３雄ネジ
(333)…径小雌ネジ
(34)…第２端部材
(341)…第２雌ネジ
(342)…第３雌ネジ
(343)…径小雌ネジ
(3B)…管継手
(31B)…管継手本体
(30A)…分水用管継手
(301)…管継手本体
(302)…突出口
(303)…径小雄ネジ
(304)…分岐口
(305)…環状凹陥部
(306)…径小部
(307)…径大部
【図１】
0004102972.tif 000002
【図２】
0004102972.tif 000003
【図３】
0004102972.tif 000004
【図４】
0004102972.tif 000005
【図５】
0004102972.tif 000006
【図６】
0004102972.tif 000007
【図７】
0004102972.tif 000008